(57)【要約】【課題】  使用済みエアゾール容器から残留ガスを抜き取る場合に、ドーム状の上キャップの軸を基点として反転操作し、使用済みエアゾール容器に被せるようにした残留ガス抜き取り用キャップを提供すること。【解決手段】  筒状の下キャップと上キャップとからなるエアゾール容器の残留ガス抜き取り用キャップであって、下キャップは、筒体の内面下端にエアゾール容器の溝部に取着する嵌合突条を形成しており、内面上端部に鍔部を形成し、鍔部と筒体上端部に一対の軸受が形成されており、上キャップは、ドーム状に形成されており、下端部に下キャップの軸受に嵌合する軸を有する突出部を設け、突出部に直交する位置に下キャップの鍔部下面に当接する突出片を設け、対向する位置に鍔部に嵌合する係止部を形成したことを特徴とする。【選択図】  図１
2008296952.tif 000002
【特許請求の範囲】
【請求項１】
筒状の下キャップと上キャップとからなるエアゾール容器の残留ガス抜き取り用キャップであって、
下キャップは、筒体の内面下端にエアゾール容器の溝部に取着する嵌合突条を形成しており、内面上端部に鍔部を形成し、鍔部と筒体上端部に一対の軸受が形成されており、
上キャップは、ドーム状に形成されており、下端部に下キャップの軸受に嵌合する軸を有する突出部を設け、突出部に直交する位置に下キャップの鍔部下面に当接する突出片を設け、対向する位置に鍔部に嵌合する係止部を形成したことを特徴とするエアゾール容器の残留ガス抜き取り用キャップ。
【請求項２】
軸受が、Ｌ字形で、垂直部と水平部とからなり、垂直部の入口上面に膨出部が設けられていることを特徴とする請求項１記載のエアゾール容器の残留ガス抜き取り用キャップ。
【発明の詳細な説明】
【技術分野】
【０００１】
本発明は、エアゾール容器のガス抜き取り用キャップ、とくに使用後にエアゾール容器内に残留するガス抜き取りを可能としたキャップに関するものである。
【背景技術】
【０００２】
使用済みエアゾール容器の残留ガスを抜き取るために、蓋の内蓋部分を押圧すると、外蓋と内蓋とを連結している連結部が撓んで内蓋が降下し、内蓋の天井部により噴射ボタンが押し下げられ、押し下げられた内蓋の筒体縁に設けられた係止突起がマウンテンカップ部のかしめ縁に係合され、噴射ボタンが継続的に押し下げされた状態になって、残留ガスが抜き取られるようにしたエアゾール容器は、従来より知られている（例えば、特許文献１参照）。
【特許文献１】特開２００１−１９０６７号公報
【発明の開示】
【発明が解決しようとする課題】
【０００３】
しかしながら、上記特許文献１記載のエアゾール容器のガス抜き取り用キャップでは、蓋の内蓋部分を押圧することにより、外蓋と内蓋とを連結している連結部が撓んで内蓋が降下し、内蓋の筒体縁の係止突起がマウンテンカップ部のかしめ縁に係止し、噴射ボタンが継続的に押し下げされた状態になって、ノズルの開閉口が開放された状態になり、残留ガスが放出されるが、内蓋の天井部により噴射ボタンを押し下げ、指で押し込む操作には、一定の押圧力が必要で、簡単でないという問題があった。
また、手の不自由な人には、困難であるという問題もあった。
【０００４】
本発明は、上記問題を解決することを課題とし、使用済みエアゾール容器から残留ガスを抜き取る場合に、ドーム状の上キャップの軸を基点として反転操作し、使用済みエアゾール容器に被せるようにした残留ガス抜き取り用キャップを提供することを目的とする。
【課題を解決するための手段】
【０００５】
本発明は、上記の問題を解決するため、エアゾール容器の残留ガス抜き取り用キャップとして、筒状の下キャップと上キャップとからなるエアゾール容器の残留ガス抜き取り用キャップであって、下キャップは、筒体の内面下端にエアゾール容器の溝部に取着する嵌合突条を形成しており、内面上端部に鍔部を形成し、鍔部と筒体上端部に一対の軸受が形成されており、上キャップは、ドーム状に形成されており、下端部に下キャップの軸受に嵌合する軸を有する突出部を設け、突出部に直交する位置に下キャップの鍔部下面に当接する突出片を設け、対向する位置に鍔部に嵌合する係止部を形成したことを特徴とする構成を採用する。
【０００６】
軸受の１実施例として、軸受が、Ｌ字形で、垂直部と水平部とからなり、垂直部の入口上面に膨出部が設けられていることを特徴とする構成を採用する。
【発明の効果】
【０００７】
使用済みエアゾール容器の残留ガスを抜き取るのに、ドーム状の上キャップの軸を基点として反転操作するだけの簡単な操作により、噴射ボタンが継続的に押し下げられてノズル孔が開放され、残留ガスが抜き取られるので、手の不自由な人、力のない子どもにも容易に使用可能になった。
【発明を実施するための最良の形態】
【０００８】
次に、本発明のエアゾール容器の残留ガス抜き取り用キャップについて実施例をあげ、図面を参照して説明する。
【実施例１】
【０００９】
図１において、Ａは筒状の下キャップ、Ｂはドーム状の上キャップ、Ｃは噴霧ノズル、Ｄはエアゾール容器である。
【００１０】
図１、２に示すように、下キャップＡは、筒体１の内面下端２にエアゾール容器Ｄの溝部３に取着する嵌合突条４が設けられており、筒体１の内面上端５に鍔部６を形成し、鍔部６と筒体上端部にかけて軸受７を設けている。
【００１１】
上キャップＢは、球面部８によってドーム状に形成されており、球面部８の下面９には、下キャップＡの軸受７に嵌合する軸１０を有する突出部１１が、対向して設けられている。
球面部８の突出部１１に直交する位置に、下キャップＡの鍔部６下面に当接する突出片１２が設けられ、対向する位置に、係止部１３が設けられている。
係止部１３は、球面部８の下端部近くが、一定範囲にわたって周縁から突出して形成されており、鍔部６の内面下端に係合して、上キャップＢが妄動しないようにしている。
【００１２】
次に、本実施例のエアゾール容器の残留ガス抜き取り用キャップの使用態様と、作用効果について説明する。
エアゾール容器Ｄの使用中に、噴霧ノズルＣを使用しないときには、図１に示すように、上キャップＢをドーム状とし球面部８を突出するようにして、下キャップＡに被せ、エアゾール容器Ｄに被嵌しておくと、噴霧ノズルＣが押圧されることはない。
【００１３】
噴霧ノズルＣを使用し、内容物を噴霧するときには、エアゾール容器ＤからキャップＡを取外し、噴霧ノズルＣを押圧すると、内容物が噴霧される。
内容物を使い切った場合には、エアゾール容器Ｄに残っている残留ガスを抜き取り、エアゾール容器、キャップを廃棄する。  
【００１４】
使用済みエアゾール容器の残留ガスを抜き取る時には、まずエアゾール容器Ｄからキャップを外し、押圧表示を押圧すると、上キャップＢは軸１０を基点として回動し、図３に示すように、係止部１３と、鍔部６との係合が外れて反転し、鍔部６の反対側の部分６ａ上面に係合し、突出片１２は、部分６ａから反転して反対側の鍔部６下方に移動する。
その際、上キャップＢは、係止部１３と鍔部の部分６ａとの係合により、安定状態となる。
さらに、係止部１３の近辺を押圧した場合には、上キャップＢは、回動して軸１０、軸受７を中心に平衡状態となる。
【００１５】
上キャップＢが反転された状態の下キャップＡをエアゾール容器に嵌めると、噴霧ノズルＣが押圧され、押圧状態が維持されるので、残留ガスが排出される。
残留ガスの抜き取りは、ドーム状のキャップＢを反転させるだけの簡単な操作でできるので、指等が不自由な人にも容易に使用できる。
【実施例２】
【００１６】
次に、軸受の形状を変更した第２実施例について説明する。
図４において、Ａａは下キャップ、Ｂは上キャップである。
下キャップＡａの上端には、対向する位置にＬ字状の軸受部１５が設けられ、各軸受部１５は、垂直部１６と水平部１７とからなっている。
水平部１７の入口上端には、膨出部１８が設けられている。
【００１７】
上キッャプＢの取着にあたっては、軸１０を軸受部１５の垂直部１６に嵌挿し、次いで、周方向に廻動させ、水平部１７に嵌挿すると、軸１０は、膨出部１８によって係止され、周方向への妄動が阻止される。
その他、作用効果については、第１実施例と同様である。
【００１８】
前記各実施例において、ドーム状の上キャップを透明、半透明、有色透明、有色半透明、有色等にし、下キャップと異なる色彩にすると、従来品に比べ外観が美麗になる。
ドーム状の上キャップの形状は、反転したときに、噴霧ノズルを押下げることができれば、球面の他、二次曲線の回転面であってもよい。
また、ドーム状の球面部の一定の高さから上方を、五面、六面、八面等の多面形状にすることにより、さらに意匠効果を増大させ、種々の異なる商品の販売が可能となった。
【産業上の利用可能性】
【００１９】
本発明は、使用済みエアゾール容器の残留ガスを抜き取るのに、ドーム状の上キャップの軸を基点として反転操作するだけの簡単な操作により、噴射ノズルが継続的に押下げられるので、残留ガスが抜き取りが、手の不自由な人、力のない子どもにも、容易に使用可能になり、用途が広がった。
【図面の簡単な説明】
【００２０】
【図１】本発明のエアゾール容器の残留ガス抜き取り用キャップと容器の一部断面立面図である。
【図２】残留ガス抜き取り用キャップの分解斜視図である。
【図３】エアゾール容器の残留ガス抜き取り時のキャップと容器の一部断面立面図である。
【図４】残留ガス抜き取り用キャップの変形例の説明図で、（ａ）は分解斜視図、（ｂ）は要部の拡大図である。
【符号の説明】
【００２１】
Ａ、Ａａ  下キャップ
Ｂ    上キャップ
Ｃ    噴霧ノズル
Ｄ    エアゾール容器
１    筒体
２    内面下端
３    溝部
４    嵌合突条
５    内面上端
６    鍔部
７    軸受
８    球面部
９    下面
１０  軸
１１  突出部
１２  突出片
１３  係止部
１５  軸受部
１６  垂直部
１７  水平部
１８  膨出部
【図１】
2008296952.tif 000003
【図２】
2008296952.tif 000004
【図３】
2008296952.tif 000005
【図４】
2008296952.tif 000006